(57)【要約】【課題】警報モードの非常時に玄関ドアの解錠対応を容易的に行うことができるテレビインターホンシステムを提供することである。【解決手段】住宅内に設置され表示部２７を有する親機１１と、撮像機１４で撮影された映像を親機１１に伝送するとともに親機１１と通話を行う住宅外に設置され子機１２とを有し、親機１１の制御部２３は、親機１１に接続された警報報知機２９の警報信号が入力された場合は、子機１２の撮像機１４で撮影された映像を親機１１の表示部２７に映しているときに玄関ドアの電気錠３０への解錠信号が出力可能な解錠ボタン２７の動作に優先して、玄関ドアの電気錠３０に解錠信号を出力する。【選択図】図１
2010148074.tif 000002
【特許請求の範囲】
【請求項１】
住宅内に設置され表示部を有する親機と、
住宅外に設置され撮像機で撮影された映像を前記親機に伝送するとともに前記親機との間で通話を行うことができる子機と、
前記親機に設けられ前記子機の前記撮像機で撮影された映像を前記親機の表示部に映しているときに玄関ドアの電気錠への解錠信号が出力可能な解錠ボタンと；
前記親機に接続された警報報知機の警報信号が入力された場合は前記玄関ドアの電気錠に解錠信号を出力する制御部と；
を備えたことを特徴とするテレビインターホンシステム。
【請求項２】
前記制御部は、前記玄関ドアの電気錠に解錠信号を出力した後に前記玄関ドアの電気錠が施錠されたときは、前記警報報知機の警報信号が解除されるまで再度前記玄関ドアの電気錠に解除信号を出力することを特徴とする請求項１記載のテレビインターホンシステム。
【発明の詳細な説明】
【技術分野】
【０００１】
本発明は、住宅外の子機の撮像機で撮影された映像を住宅内に設置された親機に伝送するとともに子機と親機との間で通話を行うことができるテレビインターホンシステムに関する。
【背景技術】
【０００２】
一般に、テレビインターホンシステムは、住宅内に親機を設置し、住宅外の玄関に子機を設置して、子機の撮像機で撮影された映像を住宅内に設置された親機に伝送するとともに子機と親機との間で通話を行うものである。このようなテレビインターホンシステムにおいては、防犯上の観点から、子機からの映像を映し出した通話状態で、親機の解錠ボタン操作により玄関ドアに対して解錠信号を出力し、これにより解錠可能としている。また、一旦、通話状態に入らなくても、モニターに出画された来訪者の顔を確認するだけでドアの解錠操作を行うことができるようにしたものもある（例えば、特許文献１参照）。
【０００３】
また、火災報知機やガス漏れ検知機などの警報報知機からの警報信号を入力し、親機や子機にて警報音を発呼するとともに表示部に警報画面などを表示するようにした警報モード機能を有したものもある。このような警報モード機能を有したテレビインターホンシステムでは、警報画面の表示が最優先動作となる。
【特許文献１】特開２００３−１４３３０６号公報
【発明の開示】
【発明が解決しようとする課題】
【０００４】
しかし、警報モード機能を有したテレビインターホンシステムでは、警報報知機からの警報信号が入力されると警報画面の表示が最優先動作となり、テレビインターホンの動作が遮断され、子機からの来訪者の呼び出しができなくなるものがある。この場合には、室内において住宅外の人に助けを求めて解錠しようとしても、テレビインターホンの動作が遮断されているので、親機の解錠ボタンの操作のみでは解錠することができない。また、テレビインターホンが通常の動作モードで動作していても火災等が発生している場合に住宅内に残された人がテレビインターホンの解錠を適切に行えないことが想定される。
【０００５】
本発明の目的は、警報モードの非常時に玄関ドアの解錠対応を容易に行うことができるテレビインターホンシステムを提供することである。
【課題を解決するための手段】
【０００６】
請求項１の発明に係わるテレビインターホンシステムは、住宅内に設置され表示部を有する親機と、住宅外に設置され撮像機で撮影された映像を前記親機に伝送するとともに前記親機との間で通話を行うことができる子機と、前記親機に設けられ前記子機の前記撮像機で撮影された映像を前記親機の表示部に映しているときに玄関ドアの電気錠への解錠信号が出力可能な解錠ボタンと；前記親機に接続された警報報知機の警報信号が入力された場合は前記玄関ドアの電気錠に解錠信号を出力する制御部と；を備えたことを特徴とする。
【０００７】
本発明及び以下の発明において、用語の定義及び技術的意味は以下による。
【０００８】
親機は例えば住戸内の台所や居間等に設けられる。子機は、例えば玄関に取り付けられ、撮像機は例えば動画または静止画を撮影するＣＣＤやＣＭＯＳ等の固体撮像素子を用いたものである。表示部は撮像機で撮影された映像信号を表示するものであり、例えば、画像を表示できる液晶表示装置などである。電気錠とは電気信号により施錠や解錠を行う錠をいう。警報報知機とは、火災報知機やガス漏れ検知機などの住宅内の異常を検知する機器をいう。「警報報知機の警報信号が入力された場合」には、親機は通常の動作モードで動作してもよいし、通常の動作モードとは異なる動作モードで動作してもよい。通常とは異なる動作モードとは、例えば親機が子機からの呼び出しを無効化し、警報状態であることを表示部に表示する等の警報モードとなっている場合等である。つまり、警報報知機の警報信号が入力された事に起因して玄関ドアの電気錠に解錠信号を出力する態様であれば親機の動作モードは特に限定されない。解錠信号とは電気錠を解錠するための電気信号をいう。
【０００９】
請求項２の発明に係わるテレビインターホンシステムは、請求項１の発明において、前記制御部は、前記玄関ドアの電気錠に解錠信号を出力した後に前記玄関ドアの電気錠が施錠されたときは、前記警報報知機の警報信号が解除されるまで再度前記玄関ドアの電気錠に解除信号を出力することを特徴とする。
【００１０】
「玄関ドアの電気錠に解錠信号を出力した後に玄関ドアの電気錠が施錠されたとき」とは、電気錠が解錠信号を入力してから所定時間の経過後に親機以外の制御によって自動的に施錠状態に戻った場合や、使用者が施錠し親機の制御によって施錠した場合をいう。
【発明の効果】
【００１１】
請求項１の発明によれば、警報報知機の警報信号が親機に入力された場合は玄関ドアの電気錠に解錠信号を出力するので、非常時に玄関ドアを解錠することができる。
【００１２】
請求項２の発明によれば、電気錠の解除後に自動的に施錠する電気錠に対しても、電気錠が自動で施錠されるたびに解錠信号を出力するので、解錠状態を継続することができ安全性の確保が図れる。
【発明を実施するための最良の形態】
【００１３】
図１は本発明の実施の形態に係わるテレビインターホンシステムのブロック構成図である。親機１１と子機１２とは信号線１３を介して接続され、親機１１は住宅内に設置され、子機１２は住宅外の例えば玄関に設置される。子機１２は、周囲の動画を撮影する撮像機１４を有し、撮像機１４で撮影された映像信号は映像変調装置１５に入力され、信号変調されて通信インターフェース１６に入力される。また、子機１２は、マイク１７及びスピーカ１８を備える音声変換装置１９を有し、これら音声変換装置１９及び映像変調装置１５の信号を通信インターフェース１６を介して信号線１３に送出するようになっている。さらに、子機１２は呼出しボタン２０を有している。
【００１４】
親機１１は、子機１２と信号線１３を介して通信を行う通信インターフェース２１を有し、この通信インターフェース２１には音声変換装置２２、制御部２３、映像復調装置２４が接続されている。音声変換装置２２はマイク２５及びスピーカ２６を備え、子機１２との通話を可能にしている。また、映像復調装置２４には表示部２７を有し、子機１２からの映像を表示可能にしている。
【００１５】
また、親機１１の制御部２３には、解錠ボタン２８、警報報知機２９、玄関ドアの電気錠３０を制御する電気錠コントローラ３１が接続されている。解錠ボタン２８は、子機１２の撮像機１４で撮影された映像を親機１１の表示部２７に映しているときに、玄関ドアの電気錠３０への解錠信号を出力するボタンである。警報報知機２９は火災報知機やガス漏れ検知機などである。
【００１６】
電気錠３０は、電流の通電により施錠や解錠を行う錠であり、通電時に施錠する通電時施錠型と、非通電時においても施錠を維持する停電時施錠型とがある。電気錠３０は解錠信号を入力してから所定時間は解錠状態を維持するが、所定時間が経過すると自動的に施錠状態に戻る機能を有している。また、電気錠３０は制御部２３からの解錠信号がワンショット信号であった場合であっても所定時間は解錠状態を維持する機能を有している。
【００１７】
いま、来訪者があり、玄関ドアの子機１２の呼び出しボタン２０が押されたとすると、制御部２３は、子機１２の撮像機１４からの映像を映像復調装置２４を介して表示部２７に映し出し、子機１２のマイク１８やスピーカ１８と親機１１のマイク２５やスピーカ２６により通話可能状態にする。この通話状態で、親機１１の解錠ボタン２８の操作があると、制御部２３は電気錠コントローラ３１を介して電気錠３０を解錠する。これにより、電気錠３０は、所定時間は解錠状態を維持し、所定時間が経過すると施錠状態となる。
【００１８】
一方、制御部２３は、親機１１に接続された警報報知機２９の警報信号が入力された場合は、表示部２７に警報状態を最優先して表示し、玄関ドアの電気錠３０に解錠信号を出力する。すなわち、来訪者との通話中であったとしてもその動作を遮断し、表示部２７に警報状態を最優先して表示する警報モードとなっている。その際に、制御部２３は、玄関ドアの電気錠３０に電気錠コントローラ３１を介して解錠信号を出力し電気錠３０を解錠する。
【００１９】
そして、制御部２３は、玄関ドアの電気錠３０に解錠信号を出力した後に、玄関ドアの電気錠３０が施錠されたときは、警報報知機２９の警報信号が解除されるまで、再度、玄関ドアの電気錠３０に解除信号を出力する。これにより、電気錠３０が所定時間が経過して自動的に施錠状態に戻ったとしても自動的に解錠できる。
【００２０】
本発明の実施の形態によれば、親機１１に接続された火災報知機など警報報知機２９の警報信号が入力されている場合は、子機１２の撮像機１４からの映像確認なしに解錠ができる。つまり、火災等の非常時において使用者が操作することなく解錠することができ、住人が意識を失っている場合や混乱によって解錠操作を正常に行うことができない場合であっても外部からの救助を行うことができる。
【００２１】
また制御部２３は、解錠信号を出力した場合は、警報報知機２９の警報信号が解除されるまで自動的にある時間間隔で解除信号を出力するので、電気錠３０が自動的に施錠状態に戻る機能を有している場合であっても、警報モードのときは解錠できる。
【００２２】
すなわち、警報モードの非常時による玄関ドアの電気錠３０の解錠対応を容易に行うことができ、例えば消防隊員による室内への救助活動を行え、安全性の向上を図ることができる。また電気錠３０の解除後に、自動的に施錠する電気錠３０に対しても警報信号が継続している限りは、定期的に解除信号を送信することになるので、解錠状態を継続することができ安全性の確保が図れる。
【００２３】
なお、上記実施の形態において、親機が警報モードになった場合について説明したが、親機が警報信号を受信しても警報モードに移行しない場合であってもよい。例えば、警報信号を受信したときに表示部２７に警報状態を表示するが、そのときに外部から呼び出しボタン２０が押されれば撮像機１４で撮影された映像を表示するようにしてもよい。
【００２４】
また、電気錠は防犯上の理由から解錠状態が一定時間継続すると自動的に施錠されるように構成されているのが望ましい。しかし、本願発明では所定時間経過したときに電気錠が自動で施錠する場合に限定されず、例えば、親機によって電気錠を解錠した後、使用者が誤って施錠した場合に再度解錠する構成であってもよい。
【図面の簡単な説明】
【００２５】
【図１】本発明の実施の形態に係わるテレビインターホンシステムのブロック構成図。
【符号の説明】
【００２６】
１１…親機、１２…子機、１３…信号線、１４…撮像機、１５…映像変調装置、１６…通信インターフェース、１７…マイク、１８…スピーカ、１９…音声変換装置、２０…呼び出しボタン、２１…通信インターフェース、２２…音声変換装置、２３…制御部、２４…映像復調装置、２５…マイク、２６…スピーカ、２７…表示部、２８…解錠ボタン、２９…警報報知機、３０…電気錠、３１…電気錠コントローラ
【図１】
2010148074.tif 000003